Podtech/llm-jp-corpus-v4-ja_patent huggingface dataset:
(57)【要約】【課題】サークルベッドにおいて従来のオーバーテーブル式や、サークル上部に載せる方式のベッドテーブルでは、セッティングや取り外しの際わざわざテーブルの保管場所に移動し持ち運びや保管場所の確保の必要があり、特に介護を受ける側からは利便性に欠ける欠点があった。更に、従来のテーブルでは利用者の背丈に応じた高さの調節はサークルの外にあり、利用者が容易に調節することは困難であった。【解決手段】介護用や子供用のサークルベッドにおいて、サークル部に飲食や読書等を行なうため、折りたたみ収納や、高さ調節を行なう機能を有するテーブルを設けたサークルベッドを提供することにより、ベッド内に居ながら容易にテーブルを操作でき更には従来のテーブルのような運搬収納等の必要がなくベッドテーブルの利便性が大きく向上することになる。【選択図】図１
2007195910.tif 000002
【特許請求の範囲】
【請求項１】
サークルベッドおいて、このサークル部に折りたたみ収納や、高さ調節を行なう機能を有するテーブルを設けたサークルベッド。
【請求項２】
請求項２のサークルベッドにおいて、折りたたみ収納や、高さ調節を行なう機能を有するテーブルを着脱可能な構造としたサークルベッド。
【発明の詳細な説明】
【発明の詳細な説明】
【発明が属する技術分野】
【０００１】本発明は介護用や子供用のサークルベッドにおいて、特に、サークル部に飲食や読書等を行なうため、折りたたみ収納や、高さ調節を行なう機能を有するテーブルを設けたサークルベッドに関するものである。
【背景技術】
【０００２】従来、この種のベッドテーブルはテーブル脚部分にキャスターを付けベッドを跨ぐオーバーテーブル式やベッドのサイドからベッドに被さるサイドテーブル式やベッドのサークル上部に載せる方式のベッドテーブルが普及している。【０００３】ところが、従来の（図２）テーブル脚部分にキャスターを付けベッドを跨ぐオーバーテーブル式や、（図３）ベッドのサイドからベッドに被さるサイドテーブル式や、（図４）ベッドのサークル上部に載せる方式のベッドテーブルでは、セッティングや取り外しの際わざわざテーブルの保管場所に移動し持ち運ぶ必要があり、特に介護を受ける側からは利便性に欠ける欠点があった。
また、医療施設の病棟など十分な床面積をもたない場所では従来方式のテーブルでは保管場所の確保が困難で普及の妨げとなる欠点があった。
更に、従来のテーブル脚部分にキャスターを付けベッドを跨ぐオーバーテーブル式やベッドのサイドからベッドに被さるサイドテーブル式のベッドテーブルでは、利用者の背丈に応じた高さの調節部はサークルの外にあり、利用者が容易に調節することは困難であった。
【発明が解決しょうとする課題】
【０００４】解決しょうとする問題点は、従来技術の欠点を鑑み、折りたたみ収納や、高さ調節を行なう機能を有するテーブルを直接サークルベッドのサークル部に設ける事により、セッティングや取り外しの際わざわざテーブルの保管場所に移動し持ち運ぶ必要が無く、また、保管場所の確保も不要となり、更には利用者の背丈に応じた高さの調節も容易になるものである。
【０００５】  本発明はこのような背景に鑑みなされたものであって、サークルベッドおいて、このサークル部に折りたたみ収納や、高さ調節を行なう機能を有する、テーブルを設けたサークルベッドを提供するものである。
【課題を解決するための手段】
【０００６】以下の文章は参考用
即ち、本出願に係る発明たるサークルベッドは、折りたたみ収納や、高さ調節を行なう機能を有するテーブルを、サークルの梁や支柱に直接取り付けることで、容易に利用できることを特徴とする。
【発明を実施するための最良の形態】
【０００７】本発明では、折りたたみ収納や、高さ調節を行なう機能を有するテーブルを、サークルの梁や支柱に直接取り付けることで、テーブルが必要時には容易に取り出せ、又、不要時には折りたたむことで容易に収納でききるベッドテーブル付きサークルベッドを得ることを実現した。
【実施例】
【０００８】図１は本発明たるサークルベッドの一実施例を示す斜視図であり、（１）に飲食や読書等に使用するテーブル部、（２）にこれを折りたたむ機構部、（３）に折りたたみ後のロック部、（４）に高さ調節ノブ部、（５）に高さ調節ガイド部、（６）にテーブルとサークルの固定ネジ部（７）にベッドのサークル部を示し、利用者は必要時に（３）のロックを解除し、（１）のテーブルを引き下げ、必要に応じて（４）の高さ調節部で自身の高さに調節する構造となっている。【０００９】この構造により、ベッド内に居ながら容易にテーブルを操作でき更には従来のテーブルのような運搬収納の必要がなくベッドテーブルの利便性が大きく向上した。【００１０】また本実施例ではテーブルとサークルの固定方法はネジ止めによる固定としたが、挟持具によるサークル支柱との固定や、引っ掛け吊り下げ、バンド固定等、特にネジ止めにこだわるものではく、請求項２の着脱可能な構造とは、テーブルとサークルの固定方法を、挟持具によるサークル支柱との固定や、引っ掛け吊り下げ、バンド固定等にすることで不要時には容易に取り外せる構造とする。
【発明の効果】
【００１１】以上述べた如く本発明によれば、介護用や子供用のサークルベッドにおいて、サークル部に飲食や読書等を行なうため、折りたたみ収納や、高さ調節を行なう機能を有するテーブルを設けたサークルベッドを提供することにより、ベッド内に居ながら容易にテーブルを操作でき更には従来のテーブルのような運搬収納等の必要がなくベッドテーブルの利便性が大きく向上することになる。
【図面の簡単な説明】
【図１】本発明のテーブル付きサークルベッド
【図２】従来のテーブル脚部分にキャスターを付けベッドを跨ぐオーバーテーブル式
【図３】従来のベッドのサイドからベッドに被さるサイドテーブル式
【図４】従来のベッドのサークル上部に載せる方式のベッドテーブル
【符号の説明】
１  飲食や読書等に使用するテーブル部
２  折りたたむ機構部
３  折りたたみ後のロック部
４  高さ調節部ノブ
５  高さ調節ガイド
６  テーブルとサークルの固定ネジ部
７  ベッドのサークル部
【図１】
2007195910.tif 000003
【図２】
2007195910.tif 000004
【図３】
2007195910.tif 000005
【図４】
2007195910.tif 000006
(57)【要約】      （修正有）【課題】従来手作業でしか洗えなかった履物を、他の洗濯物を汚すことが無く、異音も出さずに洗浄効果のある、履物用洗濯補助具を提供する。【解決手段】キルティング生地１を用いて履物を１足分収納可能な袋とする。その袋の上部にファスナー２を用いて開閉可能な開口部を設け、更に袋の略中央部においてファスナー２の中間部の最上部より袋の最下部まで縫合３して左右の履物の収納部とした。【選択図】図１
2007195921.tif 000002
【特許請求の範囲】
【請求項１】
土を通さず通水性があるクッション性素材を利用して、靴１足分収納できる袋にし、袋の開口部に開閉手段を設け、袋内に靴を左右に一つずつ収納するように中間に縫合部を設けた履物洗濯補助具。
【発明の詳細な説明】
【技術分野】
【０００１】  本発明は、従来手作業でしか洗えなかった履物を、他の洗濯物を汚すことが無く、異音も出さずに洗浄効果のある、履物用洗濯補助具に関するものである。
【背景技術】
【０００２】  従来、靴を洗う際にはブラシが利用されていた。
洗濯機内で洗濯物を入れる補助具として、通水性のよい布を袋状にし開口部にファスナーを設け、袋内に衣類を入れることが出来る構造の、衣類が洗濯機内で絡むことが無く、なおかつ洗浄効果のある洗濯ネットがあった。また熱可塑性合成樹脂製で、耐久性のあるブラシ付構造の、履物を洗濯機で洗うことの出来る、ブラシ付洗濯ネットがあった（特許文献１）。
【特許文献１】特開２００４−１４１５８５号公報
【発明の開示】
【発明が解決しようとする課題】
【０００３】そのため次のような問題点があった。
（イ）履物に付いているゴミが、他の洗濯物を汚す。
（ロ）異音がする。
（ハ）履物が他の洗濯物にからむ。
（ニ）ドラム及び履物が傷む。
本発明は以上の問題点を解決しようとするものである。
【課題を解決するための手段】
【０００４】  キルティング生地を利用して靴１足分収納できるようにし、袋の開口部に開閉手段を設け、袋内に靴を左右に一つずつ収納するように中間に縫合部を設ける。以上を特徴とする履物用洗濯補助具である。
【発明の効果】
【０００５】  本発明は、キルティング生地のため他の洗濯物を汚さず、またドラムに直接接触することが無いので異音を出す事が無い。履物が飛び出し他の洗濯物と絡まない。  そして、中心部縫合により左右個別収納することで、袋内で履物が重なることが無く、洗浄効果を高めることが出来る。
【発明を実施するための最良の形態】
【０００６】以下、本発明の実施の形態を説明する。
（イ）キルティング生地を、履物より大きいサイズの袋状（１）にする。
スニーカーなど高さや、厚底のある履物では水分を多く含み履物自体が重たくなるために、キルティング生地が破れたりファスナーが壊れたりするために、上靴やスリッパなどを収納する事が好ましい。
（ロ）袋の上部に履物を出し入れする為の開口部手段のファスナーを設ける（２）。
（ハ）ファスナー（２）中間部すぐ下より袋下まで、履物が重なり洗浄効果を落とすことがないように隙間を空けることなく縫合（３）する。
本発明は、以上の構造よりなっている。
本発明を使用するときは上記の履物用洗濯補助具に履物の左右を個別収納し洗濯機の中に投入する。
洗濯機の中には他の洗濯物が入っているが、キルティング生地（１）のため、袋内にゴミがたまり、他の洗濯物が汚れることが無い。また上部開口部手段のファスナー（２）が付いているために（１）より履物が飛びだすことが無く、このことによって他の洗濯物に絡まったりドラムに直接履物が接触することが無いために異音が出ない。また、ファスナーの中間部下、最上部から最下部までを縫合（３）することにより、袋内で履物が重なることが無く、洗浄効果を高めることが出来る。なお、袋の大きさは、履物より大きめの物の方が、履物とキルティング生地がこすれやすいため、より一層の洗浄効果を得ることができる。
【図面の簡単な説明】
【０００７】
【図１】  本発明の斜視図
【図２】  本発明の使用状態
【符号の説明】
【０００８】    １キルティング生地
２ファスナー
３縫合
４履物
【図１】
2007195921.tif 000003
【図２】
2007195921.tif 000004
(57)【要約】【課題】  ゴルフをより楽に楽しくするために、そしてスコアアップに繋がる磁石式ゴルフシューズセットを提供する。【解決手段】  ゴルフシューズにグリーンマーカーとグリーンフォークを取り付け、楽に着脱ができアドレスの方向機能を備えたことを特徴とする、磁石式ゴルフシューズセット。【選択図】図１
2007195923.tif 000002
【特許請求の範囲】
【請求項１】
ゴルフシューズ本体と、該ゴルフシューズ本体に設けられた固定部材と、該固定部材に着脱機構を介して着脱可能に取り付けられるグリーンマーカーやグリーンフォーク等のゴルフ備品とよりになるゴルフシューズセット。
【請求項２】
ゴルフ備品にゴルフ運動に必要な方向性を判断させる方向指示手段を設けたことを特徴とする請求項１記載のゴルフシューズセット。
【発明の詳細な説明】
【技術分野】
【０００１】  本発明は、ゴルフのグリーンマーカーとグリーンフォークを、ゴルフシューズに取り付ける磁石式ゴルフシューズセットに関するものである。
【背景技術】
【０００２】  従来、ゴルフのグリーンマーカーとグリーンフォークはポケットから出し入れして使用していた、グリーンマーカーを帽子に着脱することはあった。
【発明の開示】
【発明が解決しようとしている課題】
【０００３】      そのために、次の問題点があった。
（イ）ポケットの中には、グリーンマーカー、グリーンフォーク、ティーペグがごちゃ混ぜに入っているため、出し入れに手間がかかった。
（ロ）雨の日、レインウエアを着ると一段と手間がかかった。
（ハ）救済処置にティーペグを２，３本使用する時に、余計なものまで掴み手間がかかった。
（ニ）帽子にグリーンマーカーを着けている場合、強風等でノーキャップにしたい時に上記の（イ）、（ハ）の問題がでた。
本発明は、以上の問題点を解決しようとするものである。
【課題を解決するための手段】
【０００４】  グリーンマーカーとグリーンフォークを、磁石を利用して簡単に着脱でき、楽に利用できることを特徴とする、磁石式ゴルフシューズセットである。
【発明の効果】
【０００５】（イ）本発明は、ゴルフの全コンデションにおいて利用でき、着脱距離が最短でわずらわしさが減少する。
（ロ）ゴルフ備品にゴルフ運動に必要な方向性を判断させる方向指示手段を設けたことで、アドレスの確認に役立つ。
【発明を実施するための最良の形態】
【０００６】      以下、本発明の実施の形態を説明する。
図１に示すゴルフシューズ本体（１）に対して
（イ）図１に示す固定プレート（２）は、磁性体で図２に示すように楕円型プレートで、図３に示すようにすこし湾曲していて内側に接着テープ（６）を設け、ボス（５）を２個表面左側に設けたものある。
（ロ）図１に示すグリーンフォーク（３）は、本体がプラスチック製で図５及び図６に示すように中央部裏面に、強力な磁石（７）を取り付け、ボス（５）に合わせた穴（８）２個を重心付近に設け、表面中央に図４に示すように方向矢印マーク（９）を設けたものである。
（ハ）図１に示すグリーンマーカー（４）は、図７及び図８で示すように、本体の裏面中央に、強力な磁石（１０）を取り付たものである。
本発明は、以上の構成よりなっている。
本発明を使用するときは、
ゴルフシューズ本体（１）の片方に、右利きは右足用に、左利きは左足用に、固定プレート（２）を接着テープ（６）にて、靴前方向に対して図９に示すように長手方向が直角になるように取り付ける。
固定した固定プレート（２）に、グリーンフォーク（３）を方向矢印マーク（９）を前方に向けて、ボス（５）と穴（８）を合わせ置くと磁性で固定される、これを自由に着脱使用できる。固定プレート（２）とグリーンフォーク（３）を組み合わせると、方向矢印マーク（９）が、靴前方向に一致するため飛行方向に対してのアドレスが取れ易くするものである。
固定プレート（２）の右側には、グリーンマーカー（４）を乗せると磁性で固定されるので自由に着脱使用できる。
この結果、グリーンマーカーとグリーンフォークを、磁石を利用して簡単に着脱でき、アドレス方向機能もあり、動作が楽になることとスコアアップが期待できる。
【図面の簡単な説明】
【０００７】
【図１】  本発明の使用状態図
【図２】  本発明の固定プレート正面図
【図３】  本発明の固定プレート側面図
【図４】  本発明のグリーンフォーク正面図
【図５】  本発明のグリーンフォーク側面図
【図６】  本発明のグリーンフォーク裏面図
【図７】  本発明のグリーンマーカー裏面図
【図８】  本発明のグリーンマーカー側面図
【図９】  本発明の取り付け状態図
【符号の説明】
【０００８】  １      ゴルフシューズ本体
２      固定プレート
３      グリーンフォーク
４      グリーンマーカー
５      ボス
６      接着テープ
７      磁石
８      穴
９      方向矢印マーク
１０      磁石
【図１】
2007195923.tif 000003
【図２】
2007195923.tif 000004
【図３】
2007195923.tif 000005
【図４】
2007195923.tif 000006
【図５】
2007195923.tif 000007
【図６】
2007195923.tif 000008
【図７】
2007195923.tif 000009
【図８】
2007195923.tif 000010
【図９】
2007195923.tif 000011
(57)【要約】【課題】ゴルフゲームにおいてスコア数だけでなく打球の状況を分析することは、プレイヤーの弱点を知る上で重要であるが、プレイヤーに負担を感じさせない入力方式が無い。ゴルフプレイ中に利用できるカウンターはスコアのみをカウントできるもので、状況まで記録できず、その要望を実現するには手書きに頼らざるを得ない。【解決手段】ゴルフにおける打球の状況別にボタンを設置し、一回のボタン押下で打数と状況を記録できるようにする。打球の状況とは「フェアウェイ」「ラフ」「バンカー」「グリーン」「カップイン」の場所的状況と「オービー」「１打罰ペナルティ」「２打罰ペナルティ」のプレイ上の状況を示す。【選択図】図１
2007195929.tif 000002
【特許請求の範囲】
【請求項１】
ゴルフにおけるスコアを記録する電子機器またはプログラムにおいて利用する、１打ずつの打球の状況を表す個別のボタンによる入力方式。状況とは打球の到達位置の種類を表し、フェアウェイ・グリーン・バンカー・ＯＢ・カップインおよびペナルティに関する１打罰・２打罰を示す。この入力方式によって記録された情報によって、利用者自身のスコア分析に活用できる。
【発明の詳細な説明】
【技術分野】
【０００１】本発明は、ゴルフにおけるスコア入力の方式に関する発明。
【背景技術】
【０００２】ゴルフのスコアカウンターとして機械式あるいは電子式の機器が存在するが、それらはひとつのボタンを１打ごとに押す方式で現在の打数を表す方式で、当発明による「打球の状況の記録」という方式は見当たらない。
【発明の開示】
【発明が解決しようとする課題】
【０００３】ゴルフのスコア計算機は従来打球数だけをカウントするものであったが、打球の到達位置の状況を打球ごとに記録することにより、プレイヤーの弱点の分析などに有効に利用できるものである。
【課題を解決するための手段】
【０００４】プレイヤーは打球後に自身の打ったボールがコース内のどの状況に止まったかを確認する。状況とは「フェアウェイ」「ラフ」「バンカー」「グリーン「カップイン」の場所的状況と「オービー」「１打罰ペナルティ」「２打罰ペナルティ」のプレイ上の状況を示す。
またより詳細な「フェアウェイバンカー」「ガードバンカー」などの状況も含む。
それぞれの状況に対して個別の登録ボタンを状況確認時に押していくことにより、詳細なプレイ状況と換算されたスコアの記録を行う。
【発明の効果】
【０００５】本発明での入力による打球の詳細な内容を記録し管理することにより、パーセーブ率・バンカーセーブ率・フェアウェイキープ率など、プレイヤーの弱点や長所を明らかにする分析を可能とする。
【発明を実施するための最良の形態】
【０００６】ゴルフプレイ中に持ち歩くことができ、スコア・打球状況表示機能をもった携帯小型電子機器での利用。
当機器においては１ラウンドの履歴記録の容量があれば利用可能であるが、履歴の確認や分析のためにパソコンとのデータ交換を行えることが望まれる。
【図面の簡単な説明】
【図１】本発明を利用した携帯型電子機器を示す正面図である。
【符号の説明】
【０００８】１  本発明の入力方式で押されたボタンによって換算されたスコア表示例である
２  本発明を利用する場合の補助的スイッチで、ボタンの間違い押下を防げスイッチである。
３  本発明の入力方式を具体的に表すボタン群である。
４  本発明を利用する場合の補助的スイッチで、直前のボタンの入力を取り消すボタンである。
５  本発明を利用する場合の補助的ボタンで、ゴルフにおいてプレイするラウンドに関する設定ボタンである。
６  本発明での打球ごとの入力を画面上で表示された状況の表示例を表す。
【図１】
2007195929.tif 000003
(57)【要約】      （修正有）【課題】公園や遊園地に設置されている遊具、デッキ、橋等を含む各施設を、マニュアルに沿って点検し、その点検報告を通信手段を通じて、管理するシステムを提供する。【解決手段】１  ＣＤ−ＲＯＭ等で点検マニュアルを作成し、方法、書式を一貫し管理しやすいものとした。２  各施設の材質腐朽と構造検討を連動させることによって問題箇所の早期発見、部材交換時期の目安になるシステムをとりいれた。【選択図】図２
2007195926.tif 000002
【特許請求の範囲】
【請求項１】
公園や遊園地等に設置されている各施設（遊具、デッキ、橋等を含む）を共通マニュアルを利用して点検（診断）し、通信手段によって、点検（診断）報告を行うネットワークシステム。
【請求項２】
各施設の材質腐朽と構造検討を関連させた点検マニュアル。
【発明の詳細な説明】
【発明の詳細な説明】
〔発明の詳細な説明〕
【技術分野】
【０００１】この発明は、公園や遊園地に設置されている遊具、デッキ、橋等を含む、各施設をマニュアルに沿って、点検し、その点検報告を通信手段を通じて、管理し易いシステムとしたビジネス特許モデルです。
【背景技術】
【０００２】従来は、
１  点検を行うものや管理者によって方法、書式が異なり管理しにくいものであった。
２  各施設の材質腐朽の点検（診断）は、しているものの、その施設自体の構造検討がされていない為、点検（診断）報告が、不完全なものもあった。（例  部材の腐朽は、さほど進行していないが、もともとの構造が頼りない為、大勢の人が、一度に載ったら倒壊の恐れがある構造物等。）
３  既存の公園、遊園地の総数に対して点検（診断）を行えるものの数が足りない為、対応が遅れ、その結果、利用者が事故にあう等の社会問題に及んでいる。
４  メンテナンスの必要性はわかっているものの予算的問題で行き届いていない。（特に専門業者による点検はコストがかかる。）
【発明が解決しようとする課題】
【０００３】２０万箇所を超えると言われる、既存公園を如何に迅速に、如何に安全に、如何に低コストに管理できるかが課題である。
【課題を解決する為の手段】
【０００４】１  ＣＤ−ＲＯＭＵ等で点検マニュアルを作成し、方法、書式を一貫し管理しやすいものとした。
２  各施設の材質腐朽と構造検討を連動させることによって問題箇所の早期発見、部材交換時期の目安になるシステムをとりいれた。
【発明を実施する為の最良の形態】
【０００５】ＣＤ−ＲＯＭの内容例（点検の流れ）を下記に記す。
・  〔図１〕のように、点検する施設名をクリック（チェック）する。
例えばブランコ（符号１）
・  上記の動作で〔図２〕のようなブランコの詳細ページが立ち上がる。
・  部位ごとに写真を撮影し、点検を行う。
例えば柱（符号▲１▼）
・  上記柱の素材を判定しクリック（チェック）する（符号Ａ）。
・  その柱の寸法を計測し数値を代入する（符号Ｂ）。
・  その柱の腐蝕進行度の数値を符号Ｄを参考に代入する（符号Ｃ）。
・  上記動作によって、腐蝕進行率を計算し良否判定を自動的に表示される（符号Ｅ）。
・  上記動作を各施設、各部位ごとに繰り返し、報告書を作成する。
【発明の効果】
【０００６】１  専門業者のみでなく、地域住民（高齢者、主婦、青少年等）等でも、マニュアルに沿った方法で点検することができ、誰が行っても、経験値のバラツキが出難い点検（診断）報告が得られ管理し易くなる。
２  点検できる人員総数をふやす事が可能でフットワークがよくなり、その結果、事故の度合い、件数を軽減でき、利用者が安心して利用できる空間を維持することができる。
３  専門業者以外のものによる点検も可能なマニュアルなので、コストの低減につながる。
上記効果以外でも、地域住民（高齢者、主婦、青少年等）等の参加で雇用促進面の貢献につながることや参加者の社会貢献モラルの向上にもつながる効果が期待できる。
【図面の簡単な説明】
【図１】本発明の参考システム図（施設を選択するページ）である。
【図２】本発明の参考システム図（図１で選択した施設ごとの詳細表記をするページ）である。
【図３】本発明により、なされる業務発注の流れである。
【図１】
2007195926.tif 000003
【図２】
2007195926.tif 000004
【図３】
2007195926.tif 000005
(57)【要約】【課題】洗い桶の上にまな板をのせて使うとすべって危険であった。【解決手段】洗い桶にミゾを付けまな板がすべり落ちないようにした。【選択図】図２
2007195922.tif 000002
【特許請求の範囲】
【請求項１】
まな板が入るミゾを付けたことを特徴とする、流し台に置き食器などを洗う洗い桶。
【発明の詳細な説明】
【技術分野】
【０００１】  この発明は、流し台に置き食器などを洗う洗い桶に関する。
【背景技術】
【０００２】従来は、調理台の上にまな板を置いて調理するか、流し台の洗い桶の上にまな板をのせその上で調理していました。
【発明の開示】
【発明が解決しようとする課題】
【０００３】しかしながら以上の技術によれば、調理台の上にまな板を置いて調理すると、果汁や肉汁などの水分がまな板からこぼれて調理台に流れて周りが汚れたり、流し台の洗い桶の上にまな板をのせ調理すると水分は下にたれて良いのですが、硬く丸く大きめの果物（すいか、パイナップルなど）など切るとき注意しないと果物が転げ落ちるとき、まな板もすべって洗い桶から滑り落ちとても危険な事もある。
そこで、この発明は、まな板がすべり落ちないで安全に使用できる洗い桶を考えたことを課題とする。
【課題を解決するための手段】
【０００４】  以上の課題を解決するために、洗い桶にミゾを付けまな板がすべり落ちないようにした。
【発明の効果】
【０００５】  この発明によれば、硬く丸く大きめの果物（すいか、パイナップルなど）など切るとき、まな板が洗い桶から滑り落ちなくなる。
【発明を実施するための最良の形態】
【０００６】  この発明の一実施形態を、図１に示す。
洗い桶は  １  であり、まな板が  ２、洗い桶のミゾを  ３  とする。【０００７】「実施形態の効果」
この実施形態によれば、まな板が簡単にミゾに置ける
【図面の簡単な説明】
【０００８】
【図１】この発明の一実施形態を示す平面図である。
【図２】この発明の一実施形態を示す斜視図である。
【符号の説明】
【０００９】１  洗い桶      ２  まな板
３  ミゾ
【図１】
2007195922.tif 000003
【図２】
2007195922.tif 000004
(57)【要約】【課題】  色々な形に変形できて、衣料の襟元から内部に挿入できるハンガーであり、また製造が容易なものを提供する。【解決手段】  柔軟な弾性部材で整形されており全体が自由に変形できるか、または図１の▲１▼部分が柔軟な弾性部材になっており、その部分が自由に変形でき、弾性によって元の形を復元できることを特徴とする。また一体整形が可能になる点も特徴である。【選択図】図１
2007195928.tif 000002
【特許請求の範囲】
【請求項１】
上部に吊り下げフックを持ち、横方向に張り出した梁状の衣類などを吊るすための部位を持つ衣料などを吊り下げるためのハンガーで、柔軟な弾性部材によって整形されており、自由に形が変形でき、弾性によってもとの形に復元することを特徴とする。
【請求項２】
請求項１で、吊り下げフックと梁状の部位との交差部位が柔軟な弾性部材によって整形されている衣料などを吊り下げるためのハンガーで、弾性部材によって整形されている部分が自由な形に変形させることができ、弾性によってもとの形に復元することを特徴とする。
【発明の詳細な説明】
【技術分野】
【０００１】  本発明は衣料などを保管するときや、乾燥させるときに吊るしておくときに使用するハンガーに関するものである。
【背景技術】
【０００２】  従来のハンガーは、衣服などにハンガーを挿入する際、衣服の裾の部分からハンガーを挿入することが普通である。この方法だと、選択したての衣服など衣服がぬれている場合腕が濡れてしまう。また、そうでなくても大量の衣服にハンガーを挿入することは思った以上に面倒な作業である。だからといって襟の部分からハンガーを挿入すると、衣服の襟の部分をのばしてしまう。【０００３】  このような不便を解消するために特許文献１のような技術が提案されている。【０００４】
【特許文献１】  特許公開２００４−１６７１１３号公報
【０００５】  この発明では、ハンガーを開閉させることできるようにして衣服の襟元から衣服を傷めることなく、楽にハンガーを衣服に挿入できるようにしたものである。【０００５】  しかしながら、この発明では開閉の方向が決まっているために、使用者のもっとも使いやすいようにハンガーが開閉するとは限らない。また、比較的部品点数が少ないとはいえ、数個の部品を組み合わせたハンガーであることには変わらない。これでは作業工程から考えてもハンガー１個の値段もそれほど低価格のものにすることは困難である。しかしながら現状では多くの人が使用しているハンガーは極めて低価格のものである。
【発明が解決しようとする課題】
【０００７】  本発明は、ハンガーを自由に変形させて、衣服の襟元からハンガーを挿入させることができて、かつ製造が容易で、その製品が安価なものを提供することを目的とする。
【課題を解決するための手段】
【０００６】  そこで、本発明ではハンガーを柔軟な弾性部材で製作することにより、ハンガー自体を自由に変形させて、衣服の襟元から挿入することを可能にする。また、ハンガー自体が弾性部材によってできているため、エラストマーやゴムなどの高分子材料を使ってハンガーを製作すれば一体整形も可能でコスト削減への寄与は大きい。
【発明を実施するための最良の形態】
【０００７】  本発明の実施例を図面に基づいて説明する。ここに示す実施例はあくまでも実施形態の一例を示しているものであり、本発明の技術的範囲を限定するものではない。図１は本発明によるハンガーの実施形態の一例である。ハンガー全体を弾性部材で製作するか、請求項２にあるように、図１の▲１▼部分のみを弾性部材で製作する。整形時にエラストマーやゴムといった高分子材料を用いて一体整形すれば、ハンガー全体が弾性部材で構成されたものとなる。また高分子材料を用いて一体整形しても、図１の▲２▼、▲３▼部分などを結晶化させるなどして硬化させると請求項２のような図１の▲１▼部分のみが柔軟性を持ったハンガーとなる。尚、弾性部材としては上で挙げたように高分子材料のみでなくエントロピー弾性、もしくはエネルギー弾性を用いるものすべてが含まれる。【０００８】  使用に当たっては、図２のようにハンガーを変形させて衣料に挿入して使用する。衣服からハンガーを取り出すときの同様にハンガーを変形させて取出す。このときのハンガーの変形のさせ方は図２のように限ったことではなく各人の自由なスタイルでハンガーを変形させることが可能であり、このことが本発明の利点でもある。
【図面の簡単な説明】
【０００９】
【図１】  本発明のハンガーの整形形態の一例である。
【図２】  本発明のハンガーの使用時における変形のさせ方の一例である。
【図１】
2007195928.tif 000003
【図２】
2007195928.tif 000004
(57)【要約】【課題】  本発明は、容易に吸引器に光源を取り付けることができる。再利用が可能で、吸引しながら吸引器の軸方向に沿って術野を鮮明に照明することが可能で、経済性と操作性に優れた手術器械を提供するものである。【解決手段】    吸引器１は、パイプ形状であり、開口部６から手術部位の血液や体液を吸引してホース５を中継して吸引ポンプに接続される。光ファイバーケーブル２は、光源ボックスに接続されて発光部３から手術部位を照明する。吸引器１と光ファイバーケーブル２はクリップ４によって互いに結合される。【選択図】図１
2007195930.tif 000002
【特許請求の範囲】
【請求項１】
医療用手術器械の吸引器に光ファイバーケーブルライトを取り付け、手術部位を吸引しながら鮮明に照明できる手術器械。
【請求項２】
吸引器にクリップを取り付け、光ファイバーケーブルライトを簡便に着脱できる手術器械。
【請求項３】
吸引器の軸方向にクリップの取り付け位置を移動できる構造で、手術部位の照明範囲を調節できる手術器械。
【請求項４】
吸引器の軸方向に平行に光ファイバーケーブルを取り付けることにより、吸引器の軸方向を任意に照明できる手術器械。
【発明の詳細な説明】
【技術分野】
【０００１】  本発明は、外科手術をするための手術器械に関する。
【背景技術】
【０００２】  外科手術において、開創された部位の操作および血液や体液などを吸引するときに、手術部位を照明するために無影灯および補助照明が用いられている。最小侵襲手術や深部の手術野を操作する時に照明が不十分で、良好な視野が得られないことがある。外科手術等に使用される電気メスに照明装置を配設したり、歯科用吸引器具に光源を設置したりする手術器械が知られている（例えば、特許文献１及び特許文献２を参照）。
【特許文献１】特願２００３−２９２３７８
【特許文献２】特願２０００−５３６３１１
【発明の開示】
【発明が解決しようとする課題】
【０００３】  しかしながら、従来の照明器具では、最小侵襲手術や開創部が狭く深い場合に血液や体液を吸引する手術部位を鮮明に照明することができないこと、術者の手および手術器具の影によって手術部位を鮮明に照明することができないこと、照明器具の位置角度をその都度移動しなければならないこと、使い捨ての手術器械でコストがかかることなどの問題がある。
【課題を解決するための手段】
【０００４】  本発明は、容易に吸引器に光源を取り付けることができる。再利用が可能で、吸引器の軸方向に沿って術野を鮮明に照明することができ、経済性と操作性に優れた手術器械を提供することにより上記課題を解決するものである。
【発明の効果】
【０００５】  本発明に係る照明装置付き吸引器は、簡単な構造のクリップを用い吸引器と光源を組み合わせたもので、クリップは容易に製造が可能である。また、滅菌することにより再利用が可能で、低コストで経済性に優れている。さらに、吸引器に光源の取り付けが簡単で、吸引器の軸方向に光源を移動することによって照明範囲を任意に調節することが可能である。血液と体液の吸引が可能で、かつ手術部位を任意に鮮明に照明することができ、操作性に優れている。
【発明を実施するための最良の形態】
【０００６】  図１は本発明の実施の形態を示す図である。図２、図３、図４は部品の取り外した図で、図５は縦断面図である。図６は部材４の位置での横断面図である。吸引器１は、パイプ形状であり、開口部６から手術部位の血液や体液を吸引して、ホース５を中継して吸引ポンプに接続される。光ファイバーケーブル２は、光源ボックスに接続されて発光部３から手術部位を照明する。吸引器１と光ファイバーケーブル２はクリップ４によって互いに結合される。【０００７】  図６はクリップ４の吸引器１および光ファイバーケーブル２に取り付ける機構を示す。クリップはバネ性を有する材料であり、吸引器１の側面を押し込むとクリップの上部が開いた後、閉じて吸引器を挟み込み固定する。光ファイバーケーブル２の側面を押し込むとクリップの下部が光ファイバーケーブルを挟み込み固定される。【０００８】  クリップ４がバネ性を有することで吸引器１に取り付けた後、吸引器１の軸線方向に移動させて任意の位置に固定する構造であり、光ファイバーケーブル２の発光部３の位置が吸引器の開口部６からの距離が変わることで照明範囲を調整する。
【図面の簡単な説明】
【０００９】
【図１】本発明に係る照明装置付き吸引器の図である。
【図２】本発明に係る照明装置付き吸引器の一部を構成する吸引器とクリップの図である。
【図３】本発明に係る照明装置付き吸引器の吸引器に取り付けたクリップの図である。
【図４】本発明に係る照明装置付き吸引器の吸引器に取り付けたクリップと光ファイバーの図である。
【図５】本発明に係る照明装置付き吸引器の縦断面図である。
【図６】本発明に係る照明装置付き吸引器のクリップ部での横断面図である。
【符号の説明】
【００１０】１  吸引器
２  光ファイバーケーブル
３  発光部
４  クリップ
５  ホース
６  開口部
【図１】
2007195930.tif 000003
【図２】
2007195930.tif 000004
【図３】
2007195930.tif 000005
【図４】
2007195930.tif 000006
【図５】
2007195930.tif 000007
【図６】
2007195930.tif 000008
(57)【要約】【課題】  従来技術では達成されていない土を使用しないか、使用しても僅かな量とすること、および植物が十分に育成した時点では生分解が進み、使用した土壌は形が無くなっているなど自然に優しい緑化達成することにある。【解決手段】  本発明の目的は板状の生分解性成分から成るボードの表面に蔓草を植生してなる緑化ボードによって達成される。【特許請求の範囲】
【請求項１】
板状の生分解性成分から成るボードの表面に蔓草を植生してなる緑化ボード。
【請求項２】
蔓草が岩垂草であることを特徴とする請求項１項の緑化ボード。
【発明の詳細な説明】
【技術分野】
【０００１】
本発明は小さいスペースでも緑化したい場所を簡単に緑化するための緑化ボードである。更に詳しくは、建物の屋上やベランダなどを容易に緑化することができる自然の植物であり、容易に管理することができる緑化ボードに関する。
【背景技術】
【０００２】
自然への回帰の一手段として生活周辺の緑化が盛んに行われているが、その中心は面積の広い場所が中心であり、狭い場所の緑化は十分には進んでいない。その主な理由は植物を育成させるための土にある。十分な緑化を図るためには土は余りにも重く、十分な量の土がないと肥料分、水分の補給が不十分となって十分な育成ができなかった。他方、多くの土をベランダや屋上などに移動することは重量の問題や埃の問題の解決がなされていなかった。
【０００３】
プラスチックの発泡体を土壌替わりにした芝生とした手軽な提案がされている（特許文献１）。しかしこの提案では土壌替わりに用いているものが発泡プラスチックであり、植物が十分育成した後にも土壌替わりのプラスチックが残存することになる。
【０００４】
また、前記提案の植物は芝に限定されており、他の植物への言及は全くないのである。
【０００５】
【特許文献１】特開平０９−００９７７８号公報
【発明の開示】
【発明が解決しようとする課題】
【０００６】
従来技術では達成されていない土を使用しないか、使用しても僅かな量とすること、および植物が十分に育成した時点では生分解が進み、使用した土壌は形が無くなっているなど自然に優しい緑化達成することにある。
【課題を解決するための手段】
【０００７】
本発明の目的は板状の生分解性成分から成るボードの表面に蔓草を植生してなる緑化ボードによって達成される。
【発明の効果】
【０００８】
本発明によれば、植生の初期の作業が極めて簡単に行うことができる。土がないか又はその量が僅かであるために運搬が簡単に行えて非力な人でも容易に屋上やベランダに運搬できることである。更に、運搬の過程で周囲を汚すこともないために気軽に作業をすることができる。更に、芝生の場合は他の植物、特に雑草に対して弱いために常に雑草退治に労力を必要としているが、本発明では生命力が非常に強い岩垂草に限定することによって、雑草に対するメンテナンスはほとんど皆無になっている。
【０００９】
他方、生分解性を有しているために設置後、そのまま放置するだけで自然に土に帰ってしまう。また、特定した岩垂草は速い速度で横方向に伸びて比較的早い時期に表面を覆ってしまうために生分解して埃が発生する時期には岩垂草によって表面が覆われているために埃が発生して問題になることがない。岩垂草は表面を早く覆って早期緑化が達成できる特徴の他、小さくきれいな花を付けて目を楽しませてくれる。
【発明を実施するための最良の形態】
【００１０】
本発明のボードに植生される植物は蔓草に限定され、蔓草以外の植物は適用しない。蔓草には多くの種類があり、いずれの種類のものも本発明に適用できる。蔓草の中でもクマツヅラ科の一種である岩垂草がもっとも好ましい。本発明の岩垂草は上に成長するのではなく、基本的には蔓状になってほとんどが横方向へと芽が伸びていくために地表面を覆う速度が速く植生後短期間で地表が岩垂草で覆われることになる。このように岩垂草が強く速い成長をすることは岩垂草が極めて生命力が強いことを意味しており、他の植物、特に所謂雑草に対しても強いために本発明のボードからなる緑化部分には雑草が生えることはほとんど無いことが実証されている。更に岩垂草が好ましい理由として、長期間にわたって小さなかわいい花が楽しむことにある。
【００１１】
本発明の第2の特徴は土壌代わりとして主として生分解性のボードを使用していることである。生分解性のボードを使用することによって、植生後ほぼ育成が完了する頃には生分解もほぼ完了しており、ボードの形はほとんどなくなってしまうことが多く、最近特に言われている環境保全に効果が認められるのである。このことは環境保全に対する寄与が認められると同時に使用者にとっても処理が不要になる利点が大きい。
【００１２】
本発明に使用するボードは生分解性能があることが必要である。ボードを構成する素材は特に問わないが、植物由来の素材であることが好ましく、中でも竹類を含む木材が特に好ましく使用することができる。例えば、竹を細かく割いた繊維状のものからなるボードや杉・檜の間伐材などを薄く数センチから数十センチの厚さに切断して適宜凹部を作ったボードや木材をチップ状にして接着剤で整形したものなどが適用することができる。
【００１３】
本発明になるボードの大きさは特に問わないが、一辺が数センチ以上数メートル以下が好ましく、20センチ以上２メートル以下の大きさであることが特に好ましい。
【産業上の利用可能性】
【００１４】
本発明の緑化ボードは各場面で使用することができるが、建物の屋上緑化やアパート・マンションのベランダの緑化、さらにはコンクリート舗装や土舗装後の緑化その他雑草防止を目的としたあらゆる場面に適用することができる。
(57)【要約】【課題】農水産物の売れ残りや、不可食部分や、商品価値の無い不良品などの廃棄物には、栄養価の優れた有効成分が含まれている。これらの有効成分を分離して利用しようとするとき、含まれている酸化還元酵素や、加水分解酵素などによって栄養価の活性が減少し易い。よって、活性が低下しないように、短時間のうちに粉砕、分離が必要となる。分離した有効成分は栄養食材に用いられる。【解決手段】立体連続遠心分離機を用い、回転数が異なる円筒による動圧によって硬い組織も微細化し、有効成分を抽出し易くすると同時に、迅速に連続的に固液分離ができ、有効成分の活性の低下を抑えられる。【特許請求の範囲】
【請求項１】
農水産物及びその廃棄物から、立型連続遠心分離機によって、その中に含まれる有効成分を微細化による抽出率の向上と、酵素等によって活性が低下する有効成分を、直ちに固液分離して有効成分の活性低下を防ぎ、ついで減圧濃縮、凍結乾燥、噴霧乾燥することなどによって栄養食品の食材やサプリメントに使用する方法
【発明の詳細な説明】
【技術分野】
【０００１】
本発明は、不安定な農畜水産物の有効成分を迅速に分離して活性低下を防ぎ、栄養食材を製造する。
【背景技術】
【０００２】
近年、環境を考えた循環型社会、ゼロエミッション、バイオマス利用、地域振興などの立場から、農産物、畜産物、水産物などの残渣や不可食部分の有効利用が要望されている。そこで、農水産物の売れ残り品や、不可食部分や、色、形、などによる不良品などの廃棄物や、食品廃棄物などから、栄養成分や生体調節に関わる機能成分など分離して、有効利用することが求められている。
【０００３】
また、高齢化や健康知識の向上にともなって、動脈硬化、糖尿病、高血圧などの生活習慣病やガン予防など国民の健康に関する関心が高まってきている。そこで、農水産物や、ほかに野生の動植物などから、生活習慣病や、ガン予防などに薬効のある有効成分を分離し、サプリメントや食品に添加する食材として利用するのが有効である。
【０００４】
一般に、破砕すると細胞中に包まれていた酵素類が溶出され活性化される。それによって成分が変質したり、栄養成分や機能性成分の活性が低下したりする。そこで、農水産物の組織を微細化して抽出率を向上させ、同時に迅速に有効成分を迅速に分離できる装置が必要になってくる。
【０００５】
【特許文献１】実用新案登録第１７３６５９０号公報
【発明の開示】
【発明が解決しようとする課題】
【０００６】
農水産物の廃棄物などは、不可食部分が多いので一般に硬い組織であることが多い。
この組織を微細化しないと抽出率は低下する。たとえば不可食部分の大根の葉には、カロテンや、葉酸ビタミンＣなど多くの栄養成分を含んでいる。しかし、大根の葉は繊維成分が多く、これらの栄養成分を効率よく抽出するのは、まず微細化する必要がある。よって効率の良い微細化のできる能力をもった装置が必要である。
【０００７】
栄養成分や機能性成分は、活性の低下をまねく不安定な成分が多い。組織を粉砕すると細胞中にふくまれていた多くの酵素が活性化して働き始める。たとえば、リンゴを磨り潰すと、酸化酵素によって褐変する。また大根などにふくまれ抗ガン作用があると注目されているイソチオシアネートの配糖体は、磨り潰すと直ちに加水分解酵素が働いて揮発性の不安定な物質になる。よって、微細化後に直ちに可溶部と不要部に分離する処置が必要である。  
【０００８】
農水産物の廃棄物には不可食部分が多いので組織は硬いものが多い。有効成分が高収量で抽出されるためには組織の微細化が必要である。それと共に、不安定な有効成分の活性が低下しないうちに迅速な抽出液と固形残渣との分離が必要である。この課題を解決するための手段として立体型連続遠心分離機（特許文献１）の使用がのぞましい。
【０００９】
この装置は、回転筒とスクリュウコンベアーを共に高速回転させる。両者は同じ方向に回るが、わずかに回転差があり、比重の重い固体は外壁からコンベアーを伝わって次第に下に移動し、下口から取り出す。逆に比重の軽い液体は中心部から上部に連続的に取り出せる。回転差によって衝突の動圧がかかりより微細化する。回転数は通常の遠心機より大きく、よって遠心効果は３５００〜８０００Ｇに達し、通常の遠心機の１５００〜
３０００Ｇより大きい。よってより小さな微粒子でも分別でき、より透明な抽出液がえられる。こうして、固液分離が迅速にかつ連続的になされ、有効成分の活性低下がより防がれる。
【００１０】
固液分離した有効成分は、減圧濃縮による濃厚溶液やエキス、凍結乾燥や噴霧乾燥による粉末化などによって、栄養食材とする。この栄養食材は、特定保健用食品や栄養機能食品に加えたり、あるいはサプリメントに用いられる。
【課題を解決するための手段】
【００１１】
農水産物や、農産物の廃棄物には、栄養価の優れた有効成分が含まれている。これらの有効成分を分離して利用しようとするとき、組織が硬かったりまた、活性の不安定な栄養素も多い。よって、立体連続遠心分離機を用い、回転数が異なる円筒による動圧によって硬い組織も微細化し、有効成分を抽出し易くすると同時に、迅速に短時間で連続的に固液分離ができ、有効成分の活性の低下を抑える。
【発明の効果】
【００１２】
農水産物のなかで、比較的硬いスイカの皮なども微細化でき、抗酸化性のあるボリフェノールのような有効成分も分離できる。また遠心力が大きいので固液の分離力がよく、それだけ収率良く分離が可能となる。
【発明を実施するための最良の形態】
【００１３】
比較的硬いスイカの皮の微粉砕の例と、粉砕後に加水分解酵素によって有効成分が低下しやすい大根について、実施した２例について述べる。
【実施例１】
【００１４】
スイカの皮を破砕機で２〜３cmに粗く砕いた後に、立型連続遠心分離機（ＶＳＤ社製  ＶＳＤ−２００−２２ｋｗ）を用い４０６０Ｇの遠心力で微細化と固液分離を同時に行った。スイカの皮１７ｋｇから４，２ｋｇの固形物（含水率８８．０％）と１２Ｌの抽出液を得た。
【実施例２】
【００１５】
大根の根部分を破砕機で粗く砕いた後に、立型連続遠心分離機（ＶＳＤ社製  ＶＳＤ−２００−２２ｋｗ）用い３５００Ｇの遠心力で微細化と固液分離を行った。大根３００ｋｇを４時間の速度で連続的に処理し、１０２ｋｇの固形物（含水率８４．７％）と１８０ｋｇの抽出物を得た。
(57)【要約】【課題】  本発明は、美味しい米を生産するために、水田の潅水として木炭ろ過水を利用した稲作方法を提供することを目的とする。【解決手段】  農道１の両側の田んぼ３には用水路２から農業用水が供給され、前記用水路２と反対側の田んぼ３には農道１を横断して埋設されたヒューム管４を介して農業用水が供給される。田んぼ３の入水口５手前の用水路２に木炭を充填したカゴ６を横断的に配置して、農業用水を木炭によりろ過して田んぼ３の入水口５に取り入れる。また、農道１を横断して埋設されたヒューム管４を介して田んぼ３の入水口５に木炭を充填した入水桝７を配置し、該入水桝７に農業用水を落とし込み、農業用水を木炭によりろ過して田んぼ３に取り入れる。木炭は、内部に微細な孔を有しており、有害成分を吸着する効果を有すると共に木炭に含まれているミネラルが水に溶けるので水質を整える作用がある。【選択図】  図１
2007043913.tif 000002
【特許請求の範囲】
【請求項１】
用水路に木炭を充填したカゴを設けて、田んぼにろ過作用を受けた木炭ろ過水を潅水することを特徴とする木炭ろ過水を利用した稲作方法。
【請求項２】
入水口に木炭を充填した入水桝を設けて、田んぼにろ過作用を受けた木炭ろ過水を潅水することを特徴とする木炭ろ過水を利用した稲作方法。
【発明の詳細な説明】
【技術分野】
【０００１】
本発明は、水稲有機栽培のため、有機肥料と木炭ろ過水を利用した稲作方法に関する。
【背景技術】
【０００２】
従来、水稲栽培においては、多収穫を目的として化学肥料を利用した稲作方法が行われてきたが、近年、「うまい米」の生産を目的として有機肥料を使用した米作りが行われて来ている。
そのため、水稲の育成促進効果を高めるように、水田に籾殻燻炭を散布し、水田の土壌改良を行い、米の収量を向上させることが行われている（特許文献１を参照）。
しかし、美味しい米を生産するためには土壌改良も必要であるが、水稲の育成促進効果を高めるためには水田に潅水する農業用水が稲の育成に大切となる。
【特許文献１】特開２００２−２７８４９号公報
【発明の開示】
【発明が解決しようとする課題】
【０００３】
本発明は、美味しい米を生産するために、水田の潅水として木炭ろ過水を利用した稲作方法を提供することを目的とする。
【課題を解決するための手段】
【０００４】
本発明の木炭ろ過水を利用した稲作方法は、用水路に木炭を充填したカゴを設けて、田んぼにろ過作用を受けた木炭ろ過水を潅水するものである。
本発明の木炭ろ過水を利用した稲作方法は、入水口に木炭を充填した入水桝を設けて、田んぼにろ過作用を受けた木炭ろ過水を潅水するものである。
【発明の効果】
【０００５】
本発明の稲作方法によれば、木炭の吸着ろ過作用により有害物質が吸着されて水が浄化されると共に木炭に含まれているミネラルが水に溶けるので水の酸度（ＰＨ）を整え、稲の育成に効果を発揮する。
また、木炭には微細な孔が多数形成されているので、有益な微生物の繁殖を促進し水質の改善に役立つ。
【発明を実施するための最良の形態】
【０００６】
本発明の稲作方法の一実施例を図面に基づいて、以下に説明する。
図１は、本発明の稲作方法に用いられる田んぼの平面図である。
１は田植機や稲刈機などの農業機械、トラクターや軽トラックなどの運搬機械が走行できる幅を有する農道、２は前記農道に沿って農業用水が流下する用水路、３は田んぼである。
前記農道１の両側の田んぼ３には用水路２から農業用水が供給され、前記用水路２と反対側の田んぼ３には農道１を横断して埋設されたヒューム管４を介して農業用水が供給される。
田んぼ３の入水口５手前の用水路２に木炭を充填したカゴ６を横断的に配置して、農業用水を木炭によりろ過して田んぼ３の入水口５に取り入れる。
また、農道１を横断して埋設されたヒューム管４を介して田んぼ３の入水口５に木炭を充填した入水桝７を配置し、該入水桝７に農業用水を落とし込み、農業用水を木炭によりろ過して田んぼ３に取り入れる。
【０００７】
カゴ６や入水桝７において、ろ過に使用する木炭は備長炭や竹炭などに限らず、一般に市販されている木炭で十分であり、吸着ろ過作用が低下したら適当な時期に交換するようにする。
木炭は、内部に微細な孔を有しており、有害成分を吸着する効果を有すると共に木炭に含まれているミネラルが水に溶けるので水質を整える作用がある。
また、木炭の微細な孔に微生物が生息することにより、植物に有効な水質に替えることができる。
なお、前記カゴ６や入水桝７には木炭だけではなく、水質を調整する原材料を一緒に入れても良い。
【０００８】
次に、本発明の稲作方法について図面に基づいて、以下に説明する。
春季に田んぼ３の土壌を耕運機により耕して田んぼ３に農業用水を取り入れる場合、図１に示すように木炭を充填したカゴ６を用水路２に配置する。
農業用水はカゴ６の木炭によりろ過作用を受けて水質改善が行われ、入水口５より田んぼ３に潅水される。
また、農道１を横断して埋設されたヒューム管４を介して田んぼ３に農業用水を供給する場合は、ヒューム管４出口に木炭を充填した入水桝７を設け、農業用水は前記入水桝７の木炭によりろ過作用を受けて水質改善が行われ、前記入水桝７より田んぼ３に潅水される。
このように、水田に供給される農業用水は全て木炭による吸着ろ過作用を受けて水質改善が行われるため、水稲の育成促進効果が高められ、その結果として美味しい米を生産することができる。
【図面の簡単な説明】
【０００９】
【図１】本発明の稲作方法を行う水田の平面図である。
【符号の説明】
【００１０】
１  農道
２  用水路
３  田んぼ
４  ヒューム管
５  入水口
６  カゴ
７  入水桝
【図１】
2007043913.tif 000003